(57)【要約】【課題】踏み心地への影響を小さくしつつ排水勾配を形成するに際し傾斜を設けるために厚みを厚くした場合においてもコストを抑制することができる浴室の洗い場床を提供する。【解決手段】洗い場の表面に設けられ排水口に向かって傾斜した排水勾配を有する浴室の洗い場床であって、洗い場の端部から前記排水口に向けて下り傾斜する排水勾配が付与された発泡樹脂製の断熱材と、断熱材を載置することにより下方から摺動可能な状態で支持する平坦な床支持面を有する支持材と、断熱材の上に設けられた床面材と、を備え、断熱材は、支持材側から床面材側に向かって切り欠かれた複数の切り欠きが設けられ、複数の切り欠きの深さは排水口側から端部側に向けて深くなるように形成されている。【選択図】図５
2019108727.tif 000002
【特許請求の範囲】
【請求項１】
洗い場の表面に設けられ排水口に向かって傾斜した排水勾配を有する浴室の洗い場床であって、
前記洗い場の端部から前記排水口に向けて下り傾斜する排水勾配が付与された発泡樹脂製の断熱材と、
前記断熱材を載置することにより下方から摺動可能な状態で支持する平坦な床支持面を有する支持材と、
前記断熱材の上に設けられた床面材と、を備え、
前記断熱材は、前記支持材側から前記床面材側に向かって切り欠かれた複数の切り欠きが設けられ、前記複数の切り欠きの深さは前記排水口側から前記端部側に向けて深くなるように形成されたことを特徴とする浴室の洗い場床。
【請求項２】
前記複数の切り欠きにおいて、前記断熱材の上面から前記切り欠きの上面までの厚みは、前記排水口側から前記端部側に向けて徐々に厚くなるように形成された請求項１記載の浴室の洗い場床。
【請求項３】
前記切り欠きは、その上部が、前記断熱材の上面に下方向への荷重がかかった場合に下方へ反るように面状に形成された請求項２記載の浴室の洗い場床。
【請求項４】
前記複数の切り欠きの上面の面積は、前記排水口側から前記端部側に向けて徐々に小さくなるように形成された請求項１記載の浴室の洗い場床。
【請求項５】
前記複数の切り欠きの下面の面積は、前記排水口側から前記端部側に向けて徐々に小さくなるように形成された請求項１記載の浴室の洗い場床。
【発明の詳細な説明】
【技術分野】
【０００１】
本発明の態様は、発泡樹脂製の断熱材を有する浴室の洗い場床に関する。
【背景技術】
【０００２】
一般的に洗い場の表面には、洗い場床の排水性能を向上させるため、洗い場床が乾燥するまでに時間がかからないように、排水口に向けて下り傾斜する排水勾配が付与されている。
【０００３】
例えば特開２００６−１４４２９９号公報（以下、特許文献１）では、床面材に傾斜をつけて排水勾配を形成している浴室の床構造が知られている。
【０００４】
特許文献１のような構造では、一般的に比較的柔らかい樹脂製の部材である床面材に傾斜を形成しており、この床面材は厚みが一様ではなく且つ床表面に近い位置に位置しているため、浴室の洗い場床に荷重がかかった場合において、床面材は荷重の影響を受けやすいとともに床面材の厚みのバラつきにより荷重に対する圧縮量が異なり踏み心地に影響が出る虞がある。
【０００５】
そこで、発明者は洗い場床の踏み心地に与える違和感を小さくするために、一般的な洗い場床の構造において、洗い場床の断熱性能確保のため床面材と床構造を支える支持材側との間に設けられる比較的に剛性の優れた断熱材に排水勾配を形成するための傾斜を設けることに思い至った。
【先行技術文献】
【特許文献】
【０００６】
【特許文献１】特開２００６−１４４２９９号公報
【発明の概要】
【発明が解決しようとする課題】
【０００７】
しかしながら、浴室の洗い場床において、排水勾配を設けるために単純に断熱材に傾斜を設けると断熱材の厚みが薄くなる箇所が発生し、断熱性能に支障をきたす恐れがある。  そのため、断熱材全体の厚みを厚くする必要があるが、断熱材全体の厚みを厚くしてしまうと、その分コストが増大してしまう課題がある。
【０００８】
本発明は、かかる課題の認識に基づいてなされたものであり、踏み心地への影響を小さくしつつ排水勾配を形成するに際し傾斜を設けるために厚みを厚くした場合においてもコストを抑制することができる浴室の洗い場床を提供することを目的とする。
【課題を解決するための手段】
【０００９】
前記目的を達成するために構成された本発明によれば、洗い場の表面に設けられ排水口に向かって傾斜した排水勾配を有する浴室の洗い場床であって、前記洗い場の端部から前記排水口に向けて下り傾斜する排水勾配が付与された発泡樹脂製の断熱材と、前記断熱材を載置することにより下方から摺動可能な状態で支持する平坦な床支持面を有する支持材と、前記断熱材の上に設けられた床面材と、を備え、前記断熱材は、前記支持材側から前記床面材側に向かって切り欠かれた複数の切り欠きが設けられ、前記複数の切り欠きの深さは前記排水口側から前記端部側に向けて深くなるように形成されたことを特徴としている。
【００１０】
この浴室の洗い場床によれば、洗い場床の表面より洗い場床を支える支持材側に位置し且つ剛性に優れた断熱材に対し排水勾配を付与するための傾斜を設けているため、洗い場床の場所における踏み心地の違和感を抑制しつつ、断熱材の厚みが厚くなるほど、断熱材に切り欠きを設けることで断熱性能を維持しながら断熱材に要する材料費を減少させることができる。
従って、洗い場床に足を踏み入れた際の踏み心地に与える違和感を抑制しながら、コスト削減することとの両立が可能となる。
【００１１】
本発明において、好ましくは、さらに、前記複数の切り欠きにおいて、前記断熱材の上面から前記切り欠きの上面までの厚みは、前記排水口側から前記端部側に向けて徐々に厚くなるように形成されている。
【００１２】
この浴室の洗い場床によれば、複数の切り欠きにおいて、断熱材の上面から前記切り欠きの上面までの厚みは、排水口側から端部側に向けて徐々に厚くなるように形成しているため、洗い場床の表面より洗い場床を支える支持材側に位置し且つ剛性に優れた断熱材に対し、切り欠きを設けることにより、わずかに発生する虞のある荷重に対する圧縮量の違いによる踏み心地への違和感を抑制することが可能となる。
具体的には、断熱材と支持材とが摺動可能に固定されているため、洗い場床に荷重がかかった際には切り欠きが深ければ深いほど、切り欠きの深さに応じて撓みが発生し切り欠きの下面が広がっていく。したがって、この構成によれば、排水口側から端部側に向かって、荷重に対する圧縮量が大きくなる。一方で、断熱材の上面から切り欠きの上面までの厚みが厚いほど、切り欠きの上面が下方に反りにくくなる。したがって、この構成によれば、排水口側から端部側に向かって、荷重に対する圧縮量が小さくなる。
従って、排水口側から端部側に向けて切り欠きの深さを深くしたとしても、荷重による断熱材の圧縮量を一定にし、踏み心地に与える違和感をより抑制することができる。
【００１３】
本発明において、好ましくは、さらに、前記切り欠きは、その上部が、前記断熱材の上面に下方向への荷重がかかった場合に下方へ反るように面状に形成されている。
【００１４】
この浴室の洗い場床によれば、断熱材の上面にかかった荷重に対し、切り欠きの上部は該荷重を点で受けるのではなく面で受けるため、該荷重を広い断面積で受けることに繋がるとともに、面の下方に空間を有するため切り欠きの上面の面積分切り欠きの上部は下方へ反りやすくなる。
従って、排水口側から端部側に向かって切り欠きを深く設けたとしても、複数の切り欠きにおいて、断熱材の上面から切り欠きの上面までの厚みを大きく変化させることで洗い場床自体の排水勾配を大きくしてしまうことなく圧縮量をコントロールすることが可能となる。以上のことより、洗い場床自体の排水勾配を大きくしてしまうことなくより踏み心地に与える違和感を抑制することができる。
【００１５】
本発明において、好ましくは、さらに、前記複数の切り欠きの上面の面積は、前記排水口側から前記端部側に向けて徐々に小さくなるように形成されている。
【００１６】
この浴室の洗い場床によれば、複数の切り欠きの上面の面積を排水口側から端部側に向けて徐々に小さくなるように形成しているため、洗い場床の表面より洗い場床を支える支持材側に位置し且つ剛性に優れた断熱材に対し、切り欠きを設けることにより、わずかに発生する虞のある荷重に対する圧縮量の違いによる踏み心地への違和感を抑制することが可能となる。
具体的には、断熱材と支持材とが摺動可能に固定されているため、洗い場床に荷重がかかった際には切り欠きが深ければ深いほど、切り欠きの深さに応じて撓みが発生し切り欠きの下面が広がっていく。したがって、この構成によれば、排水口側から端部側に向かって、荷重に対する圧縮量が大きくなる。一方で、切り欠きの上面の面積が小さいほど、切り欠きの上面が下方に反りにくくなる。したがって、この構成によれば、排水口側から端部側に向かって、荷重に対する圧縮量が小さくなる。
従って、排水口側から端部側に向けて切り欠きの深さを深くしたとしても、荷重による断熱材の圧縮量を一定にし、踏み心地に与える違和感をより抑制することができる。
【００１７】
本発明において、好ましくは、さらに、前記複数の切り欠きの下面の面積は、前記排水口側から前記端部側に向けて徐々に小さくなるように形成されている。
【００１８】
この浴室の洗い場床によれば、複数の切り欠きの下面の面積を排水口側から端部側に向けて徐々に小さくなるように形成しているため、洗い場床の表面より洗い場床を支える支持材側に位置し且つ剛性に優れた断熱材に対し、切り欠きを設けることにより、わずかに発生する虞のある荷重に対する圧縮量の違いによる踏み心地への違和感を抑制することが可能となる。
具体的には、断熱材と支持材とが摺動可能に固定されているため、洗い場床に荷重がかかった際には切り欠きが深ければ深いほど、切り欠きの深さに応じて撓みが発生し切り欠きの下面が広がっていく。したがって、この構成によれば、排水口側から端部側に向かって、荷重に対する圧縮量が大きくなる。一方で、切り欠きの下面の面積が小さいほど、切り欠きの下面が広がる量が小さくなる。したがって、この構成によれば、排水口側から端部側に向かって、荷重に対する圧縮量が小さくなる。
従って、排水口側から端部側に向けて切り欠きの深さを深くしたとしても、荷重による断熱材の圧縮量を一定にし、踏み心地に与える違和感を抑制することができる。
【発明の効果】
【００１９】
本発明の態様によれば、洗い場床の表面より洗い場床を支える支持材側に位置し且つ剛性に優れた断熱材に対し排水勾配を付与するための傾斜を設けているため、洗い場床の場所における踏み心地の違和感を抑制しつつ、断熱材の厚みが厚くなるほど、断熱材に切り欠きを設けることで断熱性能を維持しながら断熱材に要する材料費を減少させることができる。
従って、洗い場床に足を踏み入れた際の踏み心地に与える違和感を抑制しながら、コスト削減することとの両立が可能となる。
【図面の簡単な説明】
【００２０】
【図１】本発明の第１実施形態にかかる浴室の洗い場床を備えた浴室ユニットを例示する模式的斜視図である。
【図２】本発明の第１実施形態にかかる浴室の洗い場床の構造を表す斜視図である。
【図３】本発明の第１実施形態における断熱材を表す模式的斜視図である。
【図４】図３に表した切断面Ｂ−Ｂにおける模式的断面図である。
【図５】図４において洗い場床の異なる個所に同荷重がかかった際の圧縮状態を比較した模式図である。
【図６】図４において洗い場床荷重を受けた際の切り欠きの上面が受ける力についての説明図である。
【図７】本発明の第２実施形態における断熱材を表す模式的断面図である。
【図８】本発明の第３実施形態における断熱材を表す模式的断面図である。
【発明を実施するための形態】
【００２１】
以下、本発明の第１実施形態について図面を参照しつつ説明する。なお、各図面中、同様の構成要素には同一の符号を付して詳細な説明は適宜省略する。
図１は、本発明の第１実施形態にかかる浴室の洗い場床を備えた浴室ユニットの模式的斜視図である。
図２は、本発明の第１実施形態にかかる浴室の洗い場床の構造を表す斜視図である。
【００２２】
図１に示すように、浴室の洗い場床１は、浴槽２の隣りに配置されている。浴槽２と洗い場床１との間には、洗い場と浴槽設置部とを区切る仕切り壁となるバスエプロン９が設けられている。
【００２３】
本実施形態に係る洗い場床１では、洗い場床１の下、すなわち洗い場床１と浴室設置面
との間の空間に排水管５が敷設されている。排水管５は、洗い場床１に設けられた排水口
１５と浴室外の排水管路とを連通させる。
【００２４】
洗い場床１は、洗い場１ａの周縁部の各辺を囲むようにして止水壁１ｂが設けられるこ
とによって周縁部が上側に立ち上げられた浅底の器状（パン状）に形成され、浴室外部に
湯水を漏出させないような立体的な形状となっている。図１に表した洗い場１ａの周縁部
は、略四辺形である。なお、本実施形態の説明においては、浴槽２側に設けられた止水壁
１ｂについて他の止水壁１ｂと区別するときは、止水壁１ｂ（Ｗ）ということにする。
【００２５】
洗い場１ａの表面（以下の説明で用いる「表面」は、断りなき場合はいずれも浴室内側
の面を指すこととする。）には、洗い場１ａの表面に付着した湯水を排水口１５まで流す
ようにするため、排水口１５に向けて所定の勾配を持った傾斜面からなる排水勾配面１０
１、１０２、１０３、１０４及び１０５が設けられている。この勾配は、洗い場１ａの外
周縁の各辺からそれぞれ遠ざかる方向に向けた下り勾配としている。また、互いに隣り合
う排水勾配面同士の間の境界線は、排水勾配面１０１、１０２、１０３、１０４及び１０
５と同様に、排水口１５に向けて所定の勾配を有する。その境界線の勾配は、洗い場１ａ
の外周縁の各辺からそれぞれ遠ざかる方向に向けた下り勾配とされている。
排水勾配は、１/２０〜１/１００程度の緩傾斜に形成されている。
【００２６】
本実施形態においては、洗い場１ａの浴槽２側に設けられた排水勾配面１０１、１０５
は、排水口１５を間に挟んだ両側に跨って配置されている。洗い場１ａの浴槽２側の止水
壁１ｂ（Ｗ）の表面と、洗い場１ａの表面と、の境界線Ｌは、同一直線上に存在している
。排水勾配面１０１、１０５は、境界線Ｌから遠ざかる方向に向けて下り勾配となる傾斜
を有する。
【００２７】
図２に示すように、本実施形態に係る洗い場床１は、洗い場床１の接地面から最表面に向かって順番に支持材１１と、断熱材１２と、床面材１３と、を有する。
浴槽２側を除く断熱材１２の周囲には、図示しない浴室ユニットの壁材を載置可能な壁載せ部材７が付設されている。また、断熱材１２の浴槽２側には、立壁部８が付設されている。
【００２８】
支持材１１は、高強度の支持面材１１１と、４隅に設けられる長さ調整可能な４本の支持脚１１２と、を有する。
支持面材１１１には作業口が設けられ、蓋１１３が被せられる。蓋１１３が被せられた状態の支持面材１１１の上面が、断熱材１２を支える床支持面となる。
【００２９】
断熱材１２は、剛性に優れた発泡樹脂製であり、支持材１１の上面に載置されている。
本実施形態では、発泡樹脂として発泡ポリプロピレンが用いられており、洗い場床１の踏み心地に違和感を与えないようにしている。
発泡ポリプロピレンは、他の発泡樹脂に比べて耐衝撃性が高いため、これを用いることで過酷な使用にも耐えうる強度の優れた床構造を提供できることになる。
なお、発泡樹脂としては圧縮変形しにくい、硬質の材料及び発泡倍率が好ましく、例えば発泡ポリスチレン、発泡ポリエチレン、発泡ポリウレタンが用いられる。
【００３０】
また、断熱材１２には前述した洗い場１ａの排水勾配面１０１、１０２、１０３、１０４及び１０５を形成するための基準面となる傾斜面１２１ａ、１２２ａ、１２３ａ、１２４ａ及び１２５ａが形成されている。そのため、断熱材１２は、洗い場１ａの止水壁１ｂ（端部）から洗い場１ａの排水口１５に向けて厚みが漸減した形状を有する。
断熱材１２の詳細な形状についての説明は後述する。
なお、排水勾配面の形態および傾斜面の形態は、図３に表した例には限定されない。
【００３１】
床面材１３は、断熱材１２の上面に設けられており、クッション層１３ａと、クッション層１３ａの上面に設けられ洗い場床１の最表面に位置する表面層１３ｂと、を有している。
【００３２】
クッション層１３ａは、平板として形成され断熱材１２の上面に載置されている。クッション層１３ａは、柔らかな踏み心地を与えるために弾性を有する軟質の材料で、断熱材１２よりも高いクッション性を有している。つまり、クッション層１３ａは断熱材１２よりも圧縮変形しやすい。
クッション層１３ａが平板上で形成されているため、洗い場床１の場所によらず、クッション層１３ａによる踏み心地への影響度合いを一定とすることが出来る。
【００３３】
表面層１３ｂは、防水性および可撓性を有する軟質のシート材が用いられている。表面層１３ｂには、水はけを良くするために、凹凸加工を施すことも可能である。
【００３４】
以下、図３乃至図５により、本発明の第１実施形態における断熱材１２について説明する。
図３は、本発明の第１実施形態における断熱材を表す模式的斜視図である。
図３に示す矢印Ｓ１は、排水勾配面１２１ａ〜１２５ａのそれぞれの下り勾配の方向を表している。すなわち矢印Ｓ１の向く方向が、下りの方向を示している。このように、排水勾配面１２１ａ〜１２５ａは、洗い場床１の外周縁の各辺を起点として、各辺と直交する方向に下がる傾斜平面になっている。
断熱材１２の厚みは、止水壁１ｂ側から排水口１５側に向かって次第に薄くなるように漸減している。この厚みの変化により、洗い場の床１表面に排水口１５に向けて下り勾配となる排水勾配を付与している。つまり、傾斜面１２１ａ〜１２５ａは、排水勾配面１０１〜１０５と相似面になっている。
【００３５】
図４は、図３に表した切断面Ｂ−Ｂにおける模式的断面図である。
図４に示すように、断熱材１２は支持材１１に載置される面から床面材１３側に向かって複数の切り欠き１２ａが設けられている。この切り欠きの深さＤ（Ｄ１、Ｄ２・・・）は排水口１５側から止水壁１ｂ側に向かって徐々に深くなるように形成されている。
例えば、排水口１５側に位置するＤ１とＤ１より止水壁１ｂ側に位置するＤ２とを比較した際は、切り欠き１２ａの深さはＤ１＜Ｄ２の関係となる。
【００３６】
また、切り欠き１２ａの上面から断熱材１２上面までの厚みｄ（ｄ１、ｄ２・・・）は、排水口１５側から止水壁１ｂ側に向かって徐々に厚くなるように形成されている。
例えば、排水口１５側に位置するｄ１とｄ１より止水壁１ｂ側に位置するｄ２とを比較した際は、切り欠き１２ａの上面から断熱材１２上面までの厚みｄはｄ１＜ｄ２の関係となる。
この厚みｄは、断熱材１２の厚みが１ｍｍ増加すると０．１ｍｍ程度増加するものも含む。
【００３７】
図５は、図４において洗い場床の異なる個所に同荷重がかかった際の圧縮状態を比較した模式図である。
図５に示すように、洗い場床１に荷重がかかると断熱材１２を介して、切り欠き１２ａの上面ｗ（ｗ１、ｗ２・・・）に荷重がかかる。
切り欠き１２ａの上面ｗに荷重がかかると、切り欠き１２ａの上面ｗが下方に撓むとともに、切り欠き１２ａの下面Ｗ（Ｗ１、Ｗ２・・・）の面積（寸法）が広がっていく。
なお、切り欠きの上面ｗにおいて、実線で示している個所は、荷重がかかる前の切り欠き１２ａの状態を示しており、破線で示している個所は、荷重がかかった際の切り欠き１２ａの変形状態を示している。
【００３８】
図５に示すように、断熱材１２における排水口１５側に近い位置に足を乗せた（荷重をかける）場合と、止水壁１ｂ側に近い位置に足を乗せた場合とを比較すると、排水口１５側に近い位置に足を乗せた場合の方が、切り欠き１２ａの上面ｗが下方へ撓んでいる。
【００３９】
また、複数ある切り欠き１２ａの上面ｗにそれぞれ同じ荷重がかかった場合における、排水口１５側に位置する切り欠き１２ａの下面Ｗ１とＷ１より止水壁１ｂ側に位置するＷ２とを比較した際は、切り欠き１２ａの下面Ｗの面積はＷ１≒Ｗ２の関係となる。
なお、切り欠き１２ａの下面Ｗにおいて、実線で示している個所は荷重がかかる前の切り欠き１２ａの下面Ｗの状態を示しており、破線で示している個所は荷重がかかった際の切り欠き１２ａの下面Ｗの変形状態を示している。
【００４０】
図６は、図４において洗い場床に荷重を受けた際の切り欠きの上面が受ける力についての説明図である。
図６に示すように、洗い場床１にかかった荷重を切り欠きの上面ｗでは、点ではなく水平な面で均一に荷重を受けている。
略水平面形状とは、接地面に対する水平角度１０°〜−１０°の範囲で切り欠き１２ａの上面ｗに意図的に凹凸形状を設けたものでなく、寸法公差による表面が粗いものなども含む。
【００４１】
以上、説明したように、第１実施形態に係る洗い場床１によれば、洗い場床１の表面より洗い場床１を支える支持材１１側に位置し且つ剛性に優れた断熱材１２に対し排水勾配を付与するための傾斜を設けているため、洗い場床１の場所における踏み心地の違和感を抑制しつつ、断熱材１２の厚みが厚くなるほど、断熱材１２に切り欠き１２ａを設けることで断熱性能を維持しながら断熱材１２に要する材料費を減少させることができる。
従って、洗い場床１に足を踏み入れた際の踏み心地に与える違和感を抑制しながら、コスト削減することとの両立が可能となる。
【００４２】
また、第１実施形態に係る洗い場床１によれば、断熱材１２の上面から切り欠き１２ａの上面ｗまでの厚みは、排水口１５側から止水壁１ｂ側に向けて徐々に厚くなるように形成しているため、洗い場床１の表面より洗い場床１を支える支持材１１側に位置し且つ剛性に優れた断熱材１２に対し、切り欠き１２ａを設けることにより、わずかに発生する虞のある荷重に対する圧縮量の違いによる踏み心地への違和感を抑制することが可能となる。
具体的には、断熱材１２と支持材１１とが摺動可能に固定されているため、洗い場床１に荷重がかかった際には切り欠き１２ａが深ければ深いほど、切り欠き１２ａの深さに応じて撓みが発生し切り欠き１２ａの下面Ｗの面積が広がっていく。したがって、この構成によれば、排水口１５側から止水壁１ｂ側に向かって、荷重に対する圧縮量が大きくなる。一方で、断熱材１２の上面から切り欠きの上面ｗまでの厚みが厚いほど、切り欠きの上面ｗが下方に反りにくくなる。したがって、この構成によれば、排水口１５側から止水壁１ｂ側に向かって、荷重に対する圧縮量が小さくなる。
従って、排水口１５側から止水壁１ｂ側に向けて切り欠き１２ａの深さを深くしたとしても、荷重による断熱材１２の圧縮量を一定にし、踏み心地に与える違和感を抑制することができる。
換言すると、切り欠きの深さＤによる圧縮量への影響と、断熱材１２の上面から切り欠き１２ａの上面ｗまでの厚みｄによる圧縮量への影響と、でバランスを取っている。
従って、排水口１５側から止水壁１ｂ側に向けて切り欠き１２ａの深さを深くしたとしても、荷重による断熱材１２の圧縮量を一定にし、踏み心地に与える違和感を抑制することができる。
【００４３】
さらに、浴室の洗い場床１では、切り欠き１２ａの上面ｗは荷重を点で受けるのではなく、水平な面で均等に荷重を受けることに繋がり、洗い場床１の踏み場所によらず圧縮量をコントロールすることが可能となる。
従って、踏み心地に与える違和感を抑制することができる。
【００４４】
つぎに、図７を参照して、本発明の第２実施形態による断熱材について説明する。
図７は、本発明の第２実施形態における断熱材を表す模式的断面図である。
ここで、図７に示す本発明の第２実施形態による浴室の洗い場床１において、上述した
図１に示す本発明の第１実施形態による浴室の洗い場床１と同一部分については同一の符号を付し、それらの説明は省略する
【００４５】
図７に示すように、本発明の第２実施形態による浴室の洗い場床１では、断熱材１２における切り欠き１２ａの形状が第１実施形態とは異なる。
切り欠き１２ａは、切り欠きの上面ｗの寸法が排水口１５側から止水壁１ｂ側に向かうにつれて、徐々に小さく形成されている。
例えば、排水口１５側に位置するｗ１とｗ１より止水壁１ｂ側に位置するｗ２とを比較した際は、切り欠き１２ａの上面ｗはｗ１＞ｗ２の関係となる。
つまり、切り欠き１２ａの深さが深いほど、切り欠き上面ｗの面積（寸法）が小さい。
【００４６】
以上、説明したように、第２実施形態に係る洗い場床１によれば、切り欠き１２ａの上面の面積を排水口１５側から止水壁１ｂ側に向けて徐々に小さくなるように形成しているため、洗い場床１の表面より洗い場床１を支える支持材１１側に位置し且つ剛性に優れた断熱材１２に対し、切り欠き１２ａを設けることにより、わずかに発生する虞のある荷重に対する圧縮量の違いによる踏み心地への違和感を抑制することが可能となる。
具体的には、断熱材１２と支持材１１とが摺動可能に固定されているため、洗い場床１に荷重がかかった際には切り欠き１２ａが深ければ深いほど、切り欠き１２ａの深さに応じて撓みが発生し切り欠きの下面Ｗの寸法が広がっていく。したがって、この構成によれば、排水口１５側から止水壁１ｂ側に向かって、荷重に対する圧縮量が大きくなる。一方で、切り欠きの上面１２１ａの面積が小さいほど、切り欠きの上面１２１ａが下方に反りにくくなる。したがって、この構成によれば、排水口１５側から止水壁１ｂ側に向かって、荷重に対する圧縮量が小さくなる。
従って、排水口１５側から止水壁１ｂ側に向けて切り欠き１２ａの深さを深くしたとしても、荷重による断熱材１２の圧縮量を一定にし、踏み心地に与える違和感を抑制することができる。
換言すると、切り欠き１２ａの深さによる圧縮量への影響と、切り欠きの上面ｗの面積による圧縮量への影響と、でバランスを取っている。
【００４７】
つぎに、図８を参照して、本発明の第３実施形態による断熱材について説明する。
図８は、本発明の第３実施形態における断熱材を表す模式的断面図である。
ここで、図８に示す本発明の第３実施形態による浴室の洗い場床１において、上述した
図１に示す本発明の第１実施形態による浴室の洗い場床１と同一部分については同一の符号を付し、それらの説明は省略する
【００４８】
図８に示すように、本発明の第３実施形態による浴室の洗い場床１では、断熱材１２における切り欠き１２ａの形状が第１実施形態とは異なる。
切り欠き１２ａは切り欠き１２ａの下面の寸法は排水口１５側から止水壁１ｂ側に向かうにつれて、徐々に小さく形成されている。
例えば、排水口１５側に位置するＷ１とＷ１より止水壁１ｂ側に位置するＷ２とを比較した際は、切り欠きの下面ＷはＷ１＞Ｗ２の関係となる。
つまり、切り欠き１２ａの深さが深いほど、切り欠き１２ａの下面Ｗの面積が小さい。
【００４９】
以上、説明したように、第３実施形態に係る洗い場床１によれば、切り欠き１２ａの下面の面積を排水口１５側から止水壁１ｂ側に向けて徐々に小さくなるように形成しているため、洗い場床１の表面より洗い場床１を支える支持材１１側に位置し且つ剛性に優れた断熱材１２に対し、切り欠き１２ａを設けることにより、わずかに発生する虞のある荷重に対する圧縮量の違いによる踏み心地への違和感を抑制することが可能となる。
具体的には、断熱材１２と支持材１１とが摺動可能に固定されているため、洗い場床１に荷重がかかった際には切り欠き１２ａが深ければ深いほど、切り欠き１２ａの深さに応じて撓みが発生し切り欠き１２ａの下面Ｗが広がっていく。したがって、この構成によれば、排水口１５側から止水壁１ｂ側に向かって、荷重に対する圧縮量が大きくなる。一方で、切り欠き１２ａの下面Ｗの寸法が小さいほど、切り欠き１２ａの下面Ｗの面積が広がる量が小さくなる。したがって、この構成によれば、排水口１５側から止水壁１ｂ側に向かって、荷重に対する圧縮量が小さくなる。
従って、排水口１５側から止水壁１ｂ側に向けて切り欠き１２ａの深さを深くしたとしても、荷重による断熱材１２の圧縮量を一定にし、踏み心地に与える違和感を抑制することができる。
換言すると、切り欠き１２ａの深さによる圧縮量への影響と、切り欠き１２ａの下面Ｗの寸法による圧縮量への影響と、でバランスを取っている。
【００５０】
以上、本発明に係る浴室の洗い場床１の実施の形態について説明したが、本発明はこれらの実施の具体例に限定されるものではない。
本発明において、切り欠き１２ａの深さに応じて圧縮量をコントロールするために、断熱材１２に設けられた切り欠き１２ａの上面ｗ及び下面Ｗのパラメータを排水口１５側から支持壁１ｂ側に向かって同時に変更してもよい。
また、これら具体例に、当業者が適宜設計変更を加えたものも、本発明の特徴を備えて
いる限り、本発明の範囲に包含される。例えば、前述した各具体例が備える各要素および
その配置、材料、条件、形状、サイズなどは、例示したものに限定されるわけではなく適
宜変更することができる。また、前述した各実施の形態が備える各要素は、技術的に可能
な限りにおいて組み合わせることができ、これらを組み合わせたものも本発明の特徴を含
む限り本発明の範囲に包含される。
【符号の説明】
【００５１】
１  洗い場床
１ａ  洗い場
１ｂ  止水壁（端部）
２  浴槽
５  排水管
７  壁載せ部材
８  立壁部
９  バスエプロン
１１  支持材
１２  断熱材
１２ａ  切り欠き
１３  床面材
１３ａ  クッション層
１３ｂ  表面層
１５  排水口
１０１、１０２、１０３、１０４、１０５  排水勾配面
１１１  支持面材
１１２  支持脚
１１３  蓋
Ｄ  切り欠きの深さ
ｄ  切り欠きの上面から断熱材の上面までの厚み
ｗ  切り欠きの上面
Ｗ  切り欠きの下面
【図１】
2019108727.tif 000003
【図２】
2019108727.tif 000004
【図３】
2019108727.tif 000005
【図４】
2019108727.tif 000006
【図５】
2019108727.tif 000007
【図６】
2019108727.tif 000008
【図７】
2019108727.tif 000009
【図８】
2019108727.tif 000010